(57)【要約】【課題】記録紙を搬送する第１搬送部と，上記第１搬送部より外側に設けられ記録紙を搬送する開閉自在な第２搬送部と，上記第２搬送部を覆う開閉自在な外装カバーとを備えた画像形成装置であって，上記外装カバーを介して上記第１搬送部と上記第２搬送部両方を目視できる画像形成装置を提供すること。【解決手段】記録紙を搬送する第１搬送部１と，上記第１搬送部１より外側に設けられ記録紙を搬送する開閉自在な第２搬送部２と，上記第２搬送部２を覆う開閉自在な外装カバー３とを備え，上記第２搬送部２が上記第１搬送部１の一部を目視しうる内側目視部２−１を備え，上記外装カバー３が上記第２搬送部２の一部と上記内側目視部２−１を介して上記第１搬送部１とを目視しうる外側目視部３−１を備えてなることを特徴とする画像形成装置Ｘ。【選択図】図１
2008070503.tif 000002
【特許請求の範囲】
【請求項１】
記録紙を搬送する第１搬送部と，上記第１搬送部より外側に設けられ記録紙を搬送する開閉自在な第２搬送部と，上記第２搬送部を覆う開閉自在な外装カバーとを備えた画像形成装置であって，
上記第２搬送部が，上記第１搬送部の一部を目視しうる１以上の内側目視部を備え，
上記外装カバーが，上記第２搬送部の一部と，上記内側目視部を介して上記第１搬送部とを目視しうる１以上の外側目視部を備えてなることを特徴とする画像形成装置。
【請求項２】
上記内側目視部が，透明或いは半透明の部材で形成された１以上の内側透明部，及び／又は，１以上の開口部からなり，
上記外側目視部が，透明或いは半透明の部材で形成された１以上の外側透明部からなるものである請求項１に記載の画像形成装置。
【請求項３】
上記内側目視部が，上記第１搬送部における記録紙の搬送方向に長く，
上記外側目視部が，上記第２搬送部における記録紙の搬送方向に長いものである請求項１又は２のいずれかに記載の画像形成装置。
【請求項４】
少なくとも上記外側目視部の上記内側目視部と重なる外側目視部が，上記重なる内側目視部よりも，上記第２搬送部における記録紙の搬送方向に対して垂直方向に広いものである請求項１〜３のいずれかに記載の画像形成装置。
【請求項５】
上記外側目視部と上記内側目視部とが，互いに異なる色で形成されてなる請求項１〜４のいずれかに記載の画像形成装置。
【発明の詳細な説明】
【技術分野】
【０００１】
本発明は，画像形成装置に関し，特に，記録紙を搬送する第１搬送部と，上記第１搬送部より外側に設けられ記録紙を搬送する第２搬送部と，上記第２搬送部を覆う開閉自在な外装カバーとを備えた画像形成装置に関するものである。
【背景技術】
【０００２】
従来，原稿や記録紙が搬送される搬送部では紙詰まりが起こる場合があった。
紙詰まりが発生した箇所や紙詰まりの状態を把握するために，特許文献１や特許文献２に記載の画像形成装置では，少なくとも外装カバーの一部が透明又は半透明からなり，上記外装カバーの外側から上記外装カバーを介して原稿や記録紙が搬送される搬送部の一部を目視することができる。
【特許文献１】特開平６−１８３１００号公報
【特許文献２】特開２００１−２８１９３６号公報
【発明の開示】
【発明が解決しようとする課題】
【０００３】
しかしながら，例えば片面にだけ画像形成が行われる記録紙を搬送する片面印字搬送部と，該片面印字搬送部より外側に設けられ両面に画像形成が行われる記録紙を搬送する開閉自在な両面印字再給紙部と，上記両面印字再給紙部を覆う開閉自在な外装カバーを備えた画像形成装置では，特許文献１や特許文献２に記載の技術を利用しても，上記外装カバーに最も近い外側の搬送部（ここでは両面印字再給紙部）の紙詰まり状況を把握することはできても，内側の搬送部（ここでは片面印字搬送部）の紙詰まり状況までは，上記外装カバーと上記の内側にある上記両面印字再給紙部を開いてみるまでわからなかった。
従って，本発明は上記事情に鑑みてなされたものであり，その目的とするところは，記録紙を搬送する第１搬送部と，上記第１搬送部より外側に設けられ記録紙を搬送する開閉自在な第２搬送部と，上記第２搬送部を覆う開閉自在な外装カバーとを備えた画像形成装置であって，上記外装カバーを介して上記第１搬送部と上記第２搬送部両方を目視できる画像形成装置を提供することにある。
【課題を解決するための手段】
【０００４】
上述のように，記録紙を搬送する第１搬送部と，上記第１搬送部より外側に設けられ記録紙を搬送する開閉自在な第２搬送部と，上記第２搬送部を覆う開閉自在な外装カバーとを備えた従来の画像形成装置では，上記外装カバーの一部が透明又は半透明であることにより，上記外装カバーに最も近い外側の上記第２搬送部を目視することができた。
しかしながら，内側の上記第１搬送部までは目視することができなかったので，上記第１搬送部で生じた紙詰まりの状況を把握することができなかった。
本発明では，上記第２搬送部が，上記第１搬送部の一部を目視しうる１以上の内側目視部を備え，上記外装カバーが，上記第２搬送部の一部と，上記内側目視部を介して上記第１搬送部とを目視しうる１以上の外側目視部を備えている。
これにより，上記外装カバーを介して上記第１搬送部と上記第２搬送部両方を目視することができる。従って，上記第１搬送部と上記第２搬送部とで生じた紙詰まりの状況を，上記外装カバーを開かなくても把握することができる。
具体的には，上記内側目視部が，透明或いは半透明の部材で形成された１以上の内側透明部，及び／又は，１以上の開口部からなり，上記外側目視部が，透明或いは半透明の部材で形成された１以上の外側透明部からなることが考えられる。
これにより，上記内側目視部と上記外側目視部とが重なった部分を介して，上記外装カバーの外側から内側の上記第１搬送部を目視することができる。
また，上記内側目視部が，上記第１搬送部における記録紙の搬送方向に長く，上記外側目視部が，上記第２搬送部における記録紙の搬送方向に長いものであることが好ましい。
なぜなら，記録紙が搬送される搬送路で紙詰まりが生じる可能性が高く，上記搬送路の目視範囲を広げれば，紙詰まりの状況がよくわかるからである。
或いは，少なくとも上記外側目視部の上記内側目視部と重なる外側目視部が，上記重なる内側目視部よりも，上記第２搬送部における記録紙の搬送方向に対して垂直方向に広いものであることが考えられる。
これにより，上記第１搬送部と上記第２搬送部とで目視できる範囲が異なるので，どちらの搬送部で紙詰まりが起こったかを把握することができる。
つまり，上記内側目視部と重なった部分からのみ詰まった紙が見え，上記内側目視部と重ならない上記外側目視部から詰まった紙が見えない場合は，上記第１搬送部で紙詰まりが生じており，上記内側目視部と重ならない上記外側目視部から詰まった紙が見える場合は，上記第２搬送部で紙詰まりが生じていると判断することができる。
なお，上記外側目視部の上記内側目視部と重なる外側目視部の１つが，上記重なる内側目視部の１つよりも，上記第２搬送部における記録紙の搬送方向に対して垂直方向に広い場合もあれば，上記外側目視部の上記内側目視部と重なる外側目視部それぞれの幅（上記第２搬送部における記録紙の搬送方向に対して垂直方向の幅）の合計が，上記重なる内側目視部の幅の合計よりも広い場合もありうる。
さらに，上記外側目視部と上記内側目視部とが，互いに異なる色で形成されてなることが考えられる。
これにより，どの搬送部で紙詰まりが起こったかを把握することができる。
具体的には，例えば，上記外側目視部が青色，上記内側目視部が赤色で形成されていれば，上記外側目視部と上記内側目視部とが重なった場合は紫色に見える。詰まった紙が白色であれば，詰まった紙が紫色に見えた場合，上記外側目視部と上記内側目視部とを介して詰まった紙が見えているので，上記第１搬送部に紙詰まりが生じており，詰まった紙が青色に見えれば，上記外側目視部だけを介して詰まった紙が見えているので，上記第２搬送部に紙詰まりが生じていると判断することができる。
【発明の効果】
【０００５】
外装カバーを開かなくても，どの搬送部のどの箇所で紙詰まりが生じたかを把握することができる。
これにより，どの部材を開閉して処理すればいいかがすぐにわかるので，利用者の紙詰まり処理にかかる時間が短縮される。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置Ｘの斜視図，図２は本発明の実施の形態に係る画像形成装置Ｘの第２搬送部２及び外装カバー３の模式図，図３は本発明の実施の形態に係る画像形成装置Ｘを図１の矢印Ｐ１方向からみた模式図，図４は本発明の実施の形態に係る画像形成装置Ｘの模式断面図，図５は本発明の実施の形態に係る画像形成装置Ｘの外装カバー３が開かれた場合の模式断面図，図６は本発明の実施の形態に係る画像形成装置Ｘの第２搬送部２及び外装カバー３が開かれた場合の模式断面図である。
なお，図２，図３では，第２搬送部２に備えられたローラなどの各部材は省略し，外側目視部及び内側目視部だけを模式的に図示したものである。
【０００７】
本発明の実施の形態に係る画像形成装置Ｘは，図１，図４に示すように，記録紙を搬送する第１搬送部１と，記録紙を搬送する第２搬送部２と，外装カバー３と，上記画像形成装置Ｘの本体の下方に設けられ，予め定められた大きさの複数の記録紙を収納する給紙カセット４と，上記給紙カセット４に収納された記録紙の給紙を行う給紙ローラ５と，上記給紙ローラ５により給紙された記録紙を分離する分離ローラ６と，分岐手段７と，排出ローラ８と，これらを統括的に制御する制御部などを備えて構成されている。
上記第１搬送部１は，中間搬送ローラ１１，レジストローラ１２，像を担持する感光体ドラム１３，定着ローラ１４などを備えて構成されている。
上記第２搬送部２は，中間搬送ローラ２１，レジストローラ２２，転写ローラ２５，搬送ローラ２６，２７などを備えて構成されている。上記第２搬送部２は，上記第１搬送部１より外側に設けられており，上記第１搬送部１を覆っている。また，下部を支点として上記外装カバー３とともに開閉自在である（図６参照）。
上記中間搬送ローラ１１，２１は対向して設けられ，上記分離ローラ６などにより搬送された記録紙を搬送する。
上記レジストローラ１２，２２は対向して設けられ，上記感光体ドラム１３の表面に形成されたトナー画像の先端部（画像形成開始部）と記録紙の先端部とが同期するように上記中間搬送ローラ１１，２１により搬送された記録紙を搬送する。
上記定着ローラ１４（記録紙を加熱するヒートローラ及び記録紙を加圧するプレスローラ）は，上記感光体ドラム１３及び上記転写ローラ２５により搬送された記録紙にトナー像を定着させる。
上記転写ローラ２５は，上記感光体ドラム１３上に現像されたトナー像を搬送された記録紙に転写させる。
上記外装カバー３は，搬送ローラ３６，３７などを備えて構成されている。上記外装カバー３は，上記第２搬送部２よりさらに外側に設けられており，上記第２搬送部２を覆っている。そして，下部を支点として開閉自在である（図５参照）。
上記分岐手段７は，上記定着ローラ１４と上記排出ローラ８との間に設けられており，上記定着ローラ１４により搬送された記録紙を，上記排出ローラ８から排出せずに上記搬送ローラ２６，３６へ搬送する。
上記搬送ローラ２６，３６は，対向して設けられ，上記分岐手段７により搬送された記録紙を上記搬送ローラ２７，３７へ搬送する。
上記搬送ローラ２７，３７は対向して設けられ，上記搬送ローラ２６，３６から搬送された記録紙を，上記レジストローラ１２，２２に搬送する。
上記排出ローラ８は，上記定着ローラ１４により搬送された記録紙を，上記画像形成装置Ｘ外部へ排出する。
また，上記感光体ドラム１３近傍には，上記感光体ドラム１３の表面を帯電させる帯電部（不図示）と，上記感光体ドラム１３にレーザビームを照射して静電潜像を形成する露光部（不図示）と，上記静電潜像にトナーを付着させてトナー像を上記感光体ドラム１３の表面に形成する現像部（不図示）と，転写後の上記感光体ドラム１３をクリーニングするクリーニング部（不図示）と，転写後の上記感光体ドラム１３に残留する電位を除去する除電部（不図示）などが設けられている。
【０００８】
続いて，上記画像形成装置Ｘで実行される画像形成処理について，簡単に説明する。
所定の読取装置（不図示）などから画像情報信号が伝送されると，上記給紙カセット４に収納されている記録紙が，上記給紙ローラ５により給紙され，上記分離ローラ６により１枚ずつ分離される。上記分離ローラ６により分離された記録紙は，上記中間搬送ローラ１１，２１まで搬送される。上記中間搬送ローラ１１，２１により搬送された記録紙は，更に，上記レジストローラ１２，２２により画像形成開始位置まで搬送される。
一方，所定の読取装置（不図示）などから伝送された画像情報信号は，上記画像形成装置Ｘの制御部に伝送され，上記制御部により，所定の画像処理がなされる。所定の画像処理がなされたデータ（画像データ）は，上記制御部により上記露光部に入力される。その後，この露光部により，上記所定の画像処理がなされたデータに従って光量や点滅状態が調整されたレーザビーム（静電潜像書き込み用のレーザビーム）が，上記感光体ドラム１３表面に出射される。
そして，上記帯電部により帯電された上記感光体ドラム１３表面に，静電潜像が書き込まれる。上記感光体ドラム１３は所定の方向に回転され，上記現像部に備えられた現像ローラ（不図示）と接する現像位置において，上記現像ローラ電圧印加部（不図示）により電圧を印加された上記現像ローラに担持されたトナーが上記感光体ドラム１３表面上の静電潜像に移行して，トナー画像が形成される。
上記感光体ドラム１３は引き続き回転され，上記感光体ドラム１３上に形成された上記トナー画像は，上記転写ローラ電圧印加部（不図示）により電圧を印加された上記転写ローラ２５によって，上記搬送された記録紙に転写される。上記転写ローラ２５よりも上記感光体ドラム１３の回転方向下流側には，上記クリーニング部が配置されており，上記感光体ドラム１３の表面上に残留したトナーや他の付着物が除去される。上記クリーニング部よりも上記感光体ドラム１３の回転方向下流側には，上記除電部が設けられており，上記感光体ドラム１３に残留する電位が除去される。
上記画像形成（転写）された記録紙は，上記定着ローラ１４まで搬送される。
上記記録紙に転写されたトナー像は，上記定着ローラ１４により熱を加えられ，記録紙に定着される。
その後，上記記録紙は，排出ローラ８まで搬送され，上記画像形成装置Ｘ外部へ排出される。
【０００９】
一方，記録紙の両面に画像形成がなされる場合は，上述の画像形成処理がなされ，上記定着ローラ１４により定着処理がなされた後，上記排出ローラ８から上記画像形成装置Ｘ外部へ排出されずに，上記分岐手段７により，上記搬送ローラ２６，３６へ搬送される。上記搬送ローラ２６，３６へ搬送された記録紙は，搬送ローラ２７，３７を経て，再び上記レジストローラ１２，２２まで搬送される。
【００１０】
このように記録紙が搬送される画像形成装置では，搬送経路において，紙詰まりが発生する場合があった。
従来，上記外装カバー３に最も近い上記第２搬送部２での紙詰まり状況を把握することはできても，上記第２搬送部２の内側の上記第１搬送部１での紙詰まり状況までは，上記第２搬送部２及び上記外装カバー３を開いてみるまでわからなかった。
そのため，本発明では，以下に示すように，上記外装カバー３及び上記第２搬送部２を介して，上記第１搬送部１及び上記第２搬送部２両方の搬送部を目視できる画像形成装置Ｘを提供する。
【００１１】
図２（ａ）は，内側目視部２−１が形成された第２搬送部２の模式図であり，図２（ｂ）は，外側目視部３−１が形成された外装カバー３の模式図である。
上記第２搬送部２には，上記内側目視部２−１が形成されている。上記内側目視部２−１は，上記第１搬送部１の搬送方向（図１，図２（ａ），図４における矢印Ｐ６方向）に長い透明の部材であり，図２（ａ）に示すように，上記第２搬送部２の，上記第１搬送部１の搬送方向に対して垂直方向（図１，図２（ａ）における矢印Ｐ７方向）における中央あたりに備えられている。上記第２搬送部２が閉じられた状態で，上記第２搬送部２に備えられた上記内側目視部２−１を介して，上記第１搬送部１の一部を目視することができる。
なお，上記第２搬送部２の上記内側目視部２−１は，透明の部材ではなく，半透明の部材で形成されても良いし，開口でもよい。
上記外装カバー３には，外側目視部３−１が形成されている。上記外側目視部３−１は，上記第２搬送部２の搬送方向（図１，図２（ｂ），図４における矢印Ｐ５方向）に長く，上記内側目視部２−１よりも，上記第２搬送部２の搬送方向に対して垂直方向（図１，図２（ｂ）における矢印Ｐ７方向）に広い透明の部材であり，上記内側目視部２−１と重なるような位置に備えられている。図４に示すように，上記第２搬送部２及び上記外装カバー３が閉じられた状態で，上記外装カバー３に備えられた上記外側目視部３−１を介して上記第２搬送部２の一部と，上記内側目視部２−１を介して上記第１搬送部１とを目視することができる。
なお，上記外装カバー３の上記外側目視部３−１は，透明の部材ではなく，半透明の部材で形成されていてもかまわない。
【００１２】
図３（ａ）は，上記画像形成装置Ｘを図１における矢印Ｐ１方向から見た図である。紙詰まりが発生していない場合は，上記外側目視部３−１を介して上記第２搬送部２を目視することができ，上記内側目視部２−１と重なった上記外側目視部３−１を介して上記第１搬送部１を目視することができる。
上記第２搬送部２に紙詰まりが発生した場合は，図３（ｂ）に示すように，上記内側目視部２−１と重なった外側目視部３−１だけでなく，上記内側目視部２−１と重なっていない外側目視部３−１にも，詰まった紙を目視することができる。
上記第１搬送部１に紙詰まりが発生した場合は，図３（ｃ）に示すように，上記外側目視部３−１と重なる内側目視部２−１からのみ詰まった紙を目視することができる。
このようにして，カバーを開かなくても，上記第１搬送部１に紙詰まりが発生したのか，上記第２搬送部２に紙詰まりが発生したのかを判断することができる。
上記第１搬送部１に紙詰まりが発生した場合は，図６に示すように，上記第２搬送部２を開いて，上記第１搬送部１に詰まった紙を取り除けばよい。
一方，上記第２搬送部２に紙詰まりが発生した場合は，図５に示すように，上記外装カバー３を開いて，上記第２搬送部２に詰まった紙を取り除けばよい。
或いは，上記第１搬送部１及び上記第２搬送部２両方に紙詰まりが発生した場合は，上記第２搬送部２と上記外装カバー３とを順に開いてそれぞれに詰まった紙を取り除けばよい。
これにより，やみくもに，上記第２搬送部２や上記外装カバー３を開閉して紙詰まりの発生箇所を探すのではなく，どの部材を開閉して処理すればいいかがすぐにわかるので，利用者の紙詰まり処理にかかる時間が短縮される。
【実施例１】
【００１３】
上記実施の形態の外側目視部３−１及び内側目視部２−１のかわりに，以下に示す形状の外側目視部３−２及び内側目視部２−２を備えることが考えられる。
上記画像形成装置Ｘと同じ部分は，同じ符号を付して説明を省略する。
ここに，図７は上記外側目視部３−２及び上記内側目視部２−２が備えられた画像形成装置Ｘの斜視図，図８（ａ）は内側目視部２−２が備えられた第２搬送部２の模式図，図８（ｂ）は外側目視部３−２が備えられた外装カバー３の模式図，図９（ａ）は外側目視部３−２及び内側目視部２−２を備えた画像形成装置Ｘを図７の矢印Ｐ１方向から見た模式図，図９（ｂ）は第２搬送部２に紙が詰まった場合に画像形成装置Ｘを図７の矢印Ｐ１方向から見た模式図，図９（ｃ）は第１搬送部１に紙が詰まった場合に画像形成装置Ｘを図７の矢印Ｐ１方向から見た模式図である。
なお，図８，図９では，第２搬送部２に備えられたローラなどの各部材は省略し，外側目視部及び内側目視部だけを模式的に図示したものである。
【００１４】
上記第２搬送部２には，図８（ａ）に示すように，上記内側目視部２−２が形成されている。上記内側目視部２−２は，上記第１搬送部１の搬送方向（図７，図８（ａ），図４における矢印Ｐ６方向）に長い透明の部材であり，図８（ａ）に示すように，上記第２搬送部２の，上記第１搬送部１の搬送方向に対して垂直方向（図７，図８（ａ）における矢印Ｐ７方向）における中央あたりに備えられている。上記第２搬送部２が閉じられた状態で，上記第２搬送部２に備えられた上記内側目視部２−２を介して，上記第１搬送部１の一部を目視することができる。
上記外装カバー３は，全体が透明の部材で形成されている。本実施例１では，上記外装カバー３が，上記外側目視部３−２である。
上記第２搬送部２及び上記外装カバー３が閉じられた状態で，上記透明の外装カバー３すなわち上記外側目視部３−２を介して上記第２搬送部２の一部と，上記内側目視部２−２を介して上記第１搬送部１とを目視することができる。
【００１５】
図９（ａ）は，上記画像形成装置Ｘを図７における矢印Ｐ１方向から見た図である。紙詰まりが発生していない場合は，上記透明の外装カバー３すなわち上記外側目視部３−２を介して上記第２搬送部２を目視することができるとともに，上記外側目視部３−２及び上記内側目視部２−２を介して上記第１搬送部１を目視することができる。
上記第２搬送部２に紙詰まりが発生した場合は，図９（ｂ）に示すように，上記透明の外装カバー３すなわち上記外側目視部３−２を介して詰まった紙をすべて目視することができる。
上記第１搬送部１に紙詰まりが発生した場合は，図９（ｃ）に示すように，上記内側目視部２−２からのみ詰まった紙を目視することができる。
このようにして，カバーを開かなくても，上記第１搬送部１に紙詰まりが発生したのか，上記第２搬送部２に紙詰まりが発生したのかを判断することができる。
【実施例２】
【００１６】
また，上記実施の形態の外側目視部３−１及び内側目視部２−１のかわりに，以下に示す形状の外側目視部３−３（３−３Ａ，３−３Ｂ，３−３Ｃ）及び内側目視部２−３を備えることが考えられる。
上記画像形成装置Ｘと同じ部分は，同じ符号を付して説明を省略する。
ここに，図１０は上記外側目視部３−３及び上記内側目視部２−３が備えられた画像形成装置Ｘの斜視図，図１１（ａ）は内側目視部２−３が備えられた第２搬送部２の模式図，図１１（ｂ）は外側目視部３−３が備えられた外装カバー３の模式図，図１２（ａ）は外側目視部３−３及び内側目視部２−３を備えた画像形成装置Ｘを図１０の矢印Ｐ１方向から見た模式図，図１２（ｂ）は第２搬送部２に紙が詰まった場合に画像形成装置Ｘを図１０の矢印Ｐ１方向から見た模式図，図１２（ｃ）は第１搬送部１に紙が詰まった場合に画像形成装置Ｘを図１０の矢印Ｐ１方向から見た模式図である。
なお，図１１，図１２では，第２搬送部２に備えられたローラなどの各部材は省略し，外側目視部及び内側目視部だけを模式的に図示したものである。
【００１７】
上記第２搬送部２には，図１１（ａ）に示すように，上記内側目視部２−３が形成されている。上記内側目視部２−３は，上記第１搬送部１の搬送方向（図１０，図１１（ａ），図４における矢印Ｐ６方向）に長い透明の部材であり，図１１（ａ）に示すように，上記第２搬送部２の，上記第１搬送部１の搬送方向に対して垂直方向（図１０，図１１（ａ）における矢印Ｐ７方向）における中央あたりに備えられている。上記第２搬送部２が閉じられた状態で，上記第２搬送部２に備えられた上記内側目視部２−３を介して，上記第１搬送部１の一部を目視することができる。
上記外装カバー３には，図１１（ｂ）に示すように，上記外側目視部３−３が備えられている。上記外側目視部３−３は，外側目視部３−３Ａ，外側目視部３−３Ｂ，外側目視部３−３Ｃの，上記内側目視部２−３と同じ大きさの３つの透明の部材により形成されている。上記外側目視部３−３Ａ，上記外側目視部３−３Ｂ，上記外側目視部３−３Ｃの，上記第２搬送部２の搬送方向に対する垂直方向（図１１（ｂ）における矢印Ｐ７方向）の長さの合計（図１１（ｂ）におけるＡ，Ｂ，Ｃの合計）は，上記内側目視部２−３の上記第２搬送部２の搬送方向に対する垂直方向の長さ（図１１（ａ）におけるＤ）よりも長い。すなわち，上記外側目視部３−３は，上記内側目視部２−３よりも，上記第２搬送部２の搬送方向に対して垂直方向（図１１（ｂ）における矢印Ｐ７方向）に広い。上記外側目視部３−３の一部（ここでは，真ん中の外側目視部３−３Ｂ）は，上記内側目視部２−３と重なる位置に備えられている。
図４に示すように，上記第２搬送部２及び上記外装カバー３が閉じられた状態で，上記外装カバー３に備えられた上記外側目視部３−３を介して上記第２搬送部２の一部と，上記内側目視部２−３を介して上記第１搬送部１とを目視することができる。
【００１８】
図１２（ａ）は，上記画像形成装置Ｘを図１０における矢印Ｐ１方向から見た図である。紙詰まりが発生していない場合は，上記外装カバー３の上記外側目視部３−３Ａや上記外側目視部３−３Ｃを介して上記第２搬送部２を目視することができるとともに，上記外側目視部３−３Ｂ及び上記内側目視部２−３を介して上記第１搬送部１を目視することができる。
上記第２搬送部２に紙詰まりが発生した場合は，図１２（ｂ）に示すように，上記外装カバー３の上記外側目視部３−３（上記外側目視部３−３Ａ，３−３Ｂ，３−３Ｃ）を介して詰まった紙を目視することができる。
上記第１搬送部１に紙詰まりが発生した場合は，図１２（ｃ）に示すように，上記内側目視部２−３と重なる上記外側目視部３−３Ｂからのみ詰まった紙を目視することができる。
このようにして，カバーを開かなくても，上記第１搬送部１に紙詰まりが発生したのか，上記第２搬送部２に紙詰まりが発生したのかを判断することができる。
【実施例３】
【００１９】
また，上記実施の形態の外側目視部３−１及び内側目視部２−１のかわりに，以下に示す形状の外側目視部３−４及び内側目視部２−４を備えることが考えられる。
上記画像形成装置Ｘと同じ部分は，同じ符号を付して説明を省略する。
ここに，図１３は上記外側目視部３−４及び上記内側目視部２−４が備えられた画像形成装置Ｘの斜視図，図１４（ａ）は内側目視部２−４が備えられた第２搬送部２の模式図，図１４（ｂ）は外側目視部３−４が備えられた外装カバー３の模式図，図１５（ａ）は外側目視部３−４及び内側目視部２−４を備えた画像形成装置Ｘを図１３の矢印Ｐ１方向から見た模式図，図１５（ｂ）は第２搬送部２に紙が詰まった場合に画像形成装置Ｘを図１３の矢印Ｐ１方向から見た模式図，図１５（ｃ）は第１搬送部１に紙が詰まった場合に画像形成装置Ｘを図１３の矢印Ｐ１方向から見た模式図である。
なお，図１４，図１５では，第２搬送部２に備えられたローラなどの各部材は省略し，外側目視部及び内側目視部だけを模式的に図示したものである。
【００２０】
上記第２搬送部２には，図１４（ａ）に示すように，上記内側目視部２−４が形成されている。上記内側目視部２−４は，上記第１搬送部１の搬送方向（図１３，図１４（ａ），図４における矢印Ｐ６方向）に長い，予め定められた色（たとえば赤色）の透明の部材であり，図１４（ａ）に示すように，上記第２搬送部２の，上記第１搬送部１の搬送方向に対して垂直方向（図１３，図１４（ａ）における矢印Ｐ７方向）における中央あたりに備えられている。上記第２搬送部２が閉じられた状態で，上記第２搬送部２に備えられた上記内側目視部２−４を介して，上記第１搬送部１の一部を目視することができる。
上記外装カバー３の上記外側目視部３−４は，図１３（ｂ）に示すように，上記内側目視部２−４と同じ大きさで，上記内側目視部２−４とは異なる色（例えば青色）の透明の部材であり，上記内側目視部２−４と重なる位置に備えられている。
図４に示すように，上記第２搬送部２及び上記外装カバー３が閉じられた状態で，上記外装カバー３に備えられた上記外側目視部３−４を介して上記第２搬送部２の一部と，上記内側目視部２−４を介して上記第１搬送部１とを目視することができる。
【００２１】
図１５（ａ）は，上記画像形成装置Ｘを図１３における矢印Ｐ１方向から見た図である。紙詰まりが発生していない場合は，上記内側目視部２−４と重なる上記外側目視部３−４を介して上記第１搬送部１を目視することができる。この場合，上記内側目視部２−４の色（赤）と，上記外側目視部３−４の色（青）とを重ね合わせた色（紫）の上記第１搬送部１を目視することができる。
上記第２搬送部２に紙詰まりが発生した場合は，図１５（ｂ）に示すように，上記外装カバー３の上記外側目視部３−４を介して詰まった紙を目視することができる。この場合，上記第２搬送部２に詰まった紙は，上記外側目視部３−４のみを介して目視されるので，上記第２搬送部２に詰まった紙が白色の場合，該詰まった紙は，上記外側目視部３−４の色（赤）に見える。
上記第１搬送部１に紙詰まりが発生した場合は，図１５（ｃ）に示すように，上記内側目視部２−４と，該内側目視部２−４と重なる上記外側目視部３−４とを介して詰まった紙を目視することができる。この場合，上記第１搬送部１に詰まった紙は，上記内側目視部２−４と上記外側目視部３−４とを介して目視されるので，上記第１搬送部１に詰まった紙が白色の場合，該詰まった紙は，上記内側目視部２−４の色（赤）と上記外側目視部３−４の色（青）とを重ねた色（紫）に見える。
このようにして，カバーを開かなくても，色の違いで，上記第１搬送部１に紙詰まりが発生したのか，上記第２搬送部２に紙詰まりが発生したのかを判断することができる。
【図面の簡単な説明】
【００２２】
【図１】本発明の実施の形態に係る画像形成装置Ｘの斜視図。
【図２】本発明の実施の形態に係る画像形成装置Ｘの第２搬送部２及び外装カバー３の模式図。
【図３】本発明の実施の形態に係る画像形成装置Ｘを図１の矢印Ｐ１方向からみた模式図。
【図４】本発明の実施の形態に係る画像形成装置Ｘの模式断面図。
【図５】本発明の実施の形態に係る画像形成装置Ｘの外装カバー３が開かれた場合の模式断面図。
【図６】本発明の実施の形態に係る画像形成装置Ｘの第２搬送部２及び外装カバー３が開かれた場合の模式断面図。
【図７】外側目視部３−２及び内側目視部２−２が備えられた画像形成装置Ｘの斜視図。
【図８】内側目視部２−２が備えられた第２搬送部２と，外側目視部３−２が備えられた外装カバー３との模式図。
【図９】外側目視部３−２及び内側目視部２−２を備えた画像形成装置Ｘを図７の矢印Ｐ１方向から見た模式図。
【図１０】外側目視部３−３及び内側目視部２−３が備えられた画像形成装置Ｘの斜視図。
【図１１】内側目視部２−３が備えられた第２搬送部２と，外側目視部３−３が備えられた外装カバー３との模式図。
【図１２】外側目視部３−３及び内側目視部２−３を備えた画像形成装置Ｘを図１０の矢印Ｐ１方向から見た模式図。
【図１３】上記外側目視部３−４及び上記内側目視部２−４が備えられた画像形成装置Ｘの斜視図。
【図１４】内側目視部２−４が備えられた第２搬送部２と，外側目視部３−４が備えられた外装カバー３との模式図。
【図１５】外側目視部３−４及び内側目視部２−４を備えた画像形成装置Ｘを図１３の矢印Ｐ１方向から見た模式図。
【符号の説明】
【００２３】
１…第１搬送部
２…第２搬送部
２−１，２−２，２−３，２−４…内側目視部
３…外装カバー
３−１，３−２，３−３，３−４…外側目視部
４…給紙カセット
５…給紙ローラ
６…分離ローラ
７…分岐手段
８…排出ローラ
【図１】
2008070503.tif 000003
【図２】
2008070503.tif 000004
【図３】
2008070503.tif 000005
【図４】
2008070503.tif 000006
【図５】
2008070503.tif 000007
【図６】
2008070503.tif 000008
【図７】
2008070503.tif 000009
【図８】
2008070503.tif 000010
【図９】
2008070503.tif 000011
【図１０】
2008070503.tif 000012
【図１１】
2008070503.tif 000013
【図１２】
2008070503.tif 000014
【図１３】
2008070503.tif 000015
【図１４】
2008070503.tif 000016
【図１５】
2008070503.tif 000017